(57)【要約】【課題】通信線及びＡＭ送信回路間にスイッチ回路を設けなくても、通信線の音声インピーダンスを低下させることなく、最適な制御通信を実現する。【解決手段】玄関子機１０及び室内親機２０Ａ間の通話音声を伝送する通信線３０に、電源回路２３からの電源を重畳出力するインターホン装置１であって、通信線にコレクタ３１Ａを接続し、エミッタ抵抗３２を介してエミッタ３１Ｂを電源回路に接続するＰＮＰトランジスタ３１と、コレクタ及びベース３１Ｃ間に接続する第１抵抗３３と、ベース及び電源回路間に接続する第２抵抗３４と、この第２抵抗に並列接続する第１コンデンサ３５とを有する親機側音声インピーダンスアップ回路２４を備え、ＰＮＰトランジスタのエミッタに、通信線を通じて制御信号を重畳出力する親機側制御通信回路２２の出力を接続するようにした。【選択図】図１
2008028866.tif 000002
【特許請求の範囲】
【請求項１】
玄関子機及び室内親機間の通話音声を伝送する通信線に、電源回路からの電源を重畳出力するインターホン装置であって、
前記通信線にコレクタを接続し、エミッタ抵抗を介してエミッタを前記電源回路に接続するＰＮＰトランジスタと、このＰＮＰトランジスタの前記コレクタ及びベース間に接続する第１抵抗と、前記ＰＮＰトランジスタの前記ベース及び前記電源回路間に接続する第２抵抗と、この第２抵抗に並列接続する第１コンデンサとを有する第１音声インピーダンスアップ回路を備え、
前記ＰＮＰトランジスタのエミッタに、前記通信線を通じて制御信号を重畳出力する制御通信回路の出力を接続したことを特徴とするインターホン装置。
【請求項２】
前記第１コンデンサ及び前記第２抵抗に代えて、定電圧回路を接続したことを特徴とする請求項１記載のインターホン装置。
【請求項３】
前記ＰＮＰトランジスタをダーリントン接続で構成したことを特徴とする請求項１又は２記載のインターホン装置。
【請求項４】
玄関子機及び室内親機間の通話音声を伝送する通信線に、電源回路からの電源を重畳出力するインターホン装置であって、
前記通信線にコレクタを接続し、エミッタ抵抗を介してエミッタを負荷回路に接続するＮＰＮトランジスタと、このＮＰＮトランジスタの前記コレクタ及びベース間に接続する第３抵抗と、前記ＮＰＮトランジスタの前記ベース及び前記負荷回路間に接続する第４抵抗と、この第４抵抗に並列接続する第２コンデンサとを有する第２音声インピーダンスアップ回路を備え、
前記ＮＰＮトランジスタのエミッタに、前記通信線を通じて制御信号を重畳出力する制御通信回路の出力を接続したことを特徴とするインターホン装置。
【請求項５】
前記第２コンデンサ及び前記第４抵抗に代えて、定電圧回路を接続したことを特徴とする請求項４記載のインターホン装置。
【請求項６】
前記ＮＰＮトランジスタをダーリントン接続で構成したことを特徴とする請求項４又は５記載のインターホン装置。
【発明の詳細な説明】
【技術分野】
【０００１】
本発明は、室内親機及び玄関子機間の２線の通信線を使用して給電、音声通信及び制御通信を実行するインターホン装置に関する。
【背景技術】
【０００２】
従来、このようなインターホン装置は、室内親機及び玄関子機間の２線の通信線を使用して、例えば室内親機内部の電源回路から玄関子機への給電を実行する場合、通信線を通じて電源回路の直流電圧で玄関子機に給電動作を実行すると共に、室内親機及び玄関子機間で音声通信を実行する場合、通信線を通じて、数十Ｈｚ〜数ｋＨｚの可聴周波数帯で音声通信を実行するようにしている。
【０００３】
さらに、インターホン装置によれば、室内親機及び玄関子機間の通信線を使用して、例えば動作状態の切替等の制御通信を実行する場合、通信線を通じて、可聴周波数帯を超える数十ｋＨｚ以上の周波数帯のＡＭ信号で制御通信を実行するようにしている。
【０００４】
図６は従来のインターホン装置内部の概略構成を示すブロック図である。
【０００５】
図６に示すインターホン装置１００は、玄関室外に配置された玄関子機１０と、室内に配置された室内親機２０と、これら室内親機２０及び玄関子機１０間を通信接続する２線の通信線３０とを有し、室内親機２０は、通信線３０を通じて玄関子機１０に対して給電動作を実行すると共に、室内親機２０及び玄関子機１０は、通信線３０を使用して音声通信及び制御通信を実行するものである。
【０００６】
室内親機２０は、玄関子機１０との音声通信を実行する親機側音声回路２１と、可聴周波数帯を超える周波数帯のＡＭ信号を使用して玄関子機１０との制御通信を実行する親機側制御通信回路２２と、インターホン装置１００全体に電力を供給する電源回路２３と、通信線３０の可聴周波数帯の音声インピーダンスをアップさせる親機側音声インピーダンスアップ回路２４と、室内親機２０全体を制御する親機側制御回路２５とを有している。
【０００７】
親機側音声インピーダンスアップ回路２４は、通信線３０にコレクタ３１Ａを接続し、エミッタ抵抗３２を介してエミッタ３１Ｂを室内親機２０内部の電源回路２３に接続するＰＮＰトランジスタ３１と、このＰＮＰトランジスタ３１のコレクタ３１Ａ及びベース３１Ｃ間に接続された第１バイアス抵抗３３と、ＰＮＰトランジスタ３１のベース３１Ｃ及び電源回路２３間に接続された第２バイアス抵抗３４と、この第２バイアス抵抗３４に並列に接続された第１コンデンサ３５とで構成している。
【０００８】
親機側音声インピーダンスアップ回路２４は、第１コンデンサ３５の動作により、コレクタ側の負荷状態が交流変動してもベース電圧が交流変動しないため、コレクタの交流電流は一定となり、交流電圧が増えても交流電流が増えず、すなわち通信線３０から見て音声インピーダンスをアップさせるものである。
【０００９】
そして、親機側音声インピーダンスアップ回路２４は、音声インピーダンスをアップさせることで、通信線３０に接続する親機側音声回路２１の出力信号が電源回路２３側に吸収されず、親機側音声回路２１の出力信号が通信線３０を通じて玄関子機１０に伝送することになる。
【００１０】
尚、仮に通信線３０及び電源回路２３間に親機側音声インピーダンスアップ回路２４を配置しない場合は、通信線３０に接続する親機側音声回路２１の出力信号が電源回路２３側に吸収されてしまい、その結果、出力信号を玄関子機１０に伝送することができないことになる。
【００１１】
また、親機側制御通信回路２２は、親機側出力抵抗２２Ａと、この親機側出力抵抗２２Ａと接続し、玄関子機１０への制御内容をＡＭ変調して玄関子機１０側にＡＭ信号として出力する親機側ＡＭ送信回路２２Ｂと、通信線３０及び親機側出力抵抗２２Ａ間の接続をＯＮ／ＯＦＦする親機側スイッチ回路２２Ｃと、玄関子機１０からのＡＭ信号をＡＭ復調して玄関子機１０からの制御内容を受信する親機側ＡＭ受信回路２２Ｄと、この親機側ＡＭ受信回路２２Ｄに接続する親機側受信インピーダンス２２Ｅとを有している。
【００１２】
また、親機側制御通信回路２２内部の親機側スイッチ回路２２Ｃは、親機側ＡＭ送信回路２２Ｂから玄関子機１０に対してＡＭ信号を出力する場合、通信線３０及び親機側出力抵抗２２Ａ間の接続をＯＮするものである。尚、親機側ＡＭ送信回路２２Ｂでは、ＡＭ信号の出力レベルが所定レベル以上に保つようにするために、親機側ＡＭ送信回路２２Ｂ側の送信インピーダンスを低くして出力レベルを上げるようにしている。
【００１３】
また、親機側スイッチ回路２２Ｃは、親機側ＡＭ送信回路２２Ｂから玄関子機１０に対してＡＭ信号を出力しない場合、通信線３０及び親機側出力抵抗２２Ａ間の接続をＯＦＦし、親機側ＡＭ送信回路２２Ｂ側の送信インピーダンスが通信線３０上の親機側音声回路２１の出力信号を吸収しないようにするものである。
【００１４】
また、玄関子機１０は、室内親機２０との音声通信を実行する子機側音声回路１１と、可聴周波数帯を超える周波数帯のＡＭ信号を使用して室内親機２０との制御通信を実行する親機側制御通信回路１２と、通信線３０の音声インピーダンスをアップさせる子機側音声インピーダンスアップ回路１３と、室内親機２０から給電する負荷回路１４と、玄関子機１０全体を制御する子機側制御回路１５とを有している。
【００１５】
また、子機側音声インピーダンスアップ回路１３は、通信線３０にコレクタ４１Ａを接続し、エミッタ抵抗４２を介してエミッタ４１Ｂを玄関子機１０内部の負荷回路１４に接続するＮＰＮトランジスタ４１と、このＮＰＮトランジスタ４１のコレクタ４１Ａ及びベース４１Ｃ間に接続された第３バイアス抵抗４３と、ＮＰＮトランジスタ４１のベース４１Ｃ及び負荷回路１４間に接続された第４バイアス抵抗４４と、この第４バイアス抵抗４４に並列に接続された第２コンデンサ４５とで構成している。
【００１６】
子機側音声インピーダンスアップ回路１３は、第２コンデンサ４５の動作により、コレクタ側の負荷状態が交流変動してもベース電圧が交流変動しないため、コレクタの交流電流は一定となり、交流電圧が増えても交流電流が増えず、すなわち通信線３０から見て音声インピーダンスをアップさせるものである。
【００１７】
そして、子機機側音声インピーダンスアップ回路１３は、音声インピーダンスをアップさせることで、通信線３０に接続する子機側音声回路１１の出力信号が負荷回路１４側に吸収されず、子機側音声回路１１の出力信号が通信線３０を通じて室内親機２０に伝送することになる。
【００１８】
尚、仮に通信線３０及び負荷回路１４間に子機側音声インピーダンスアップ回路１３を配置しない場合は、通信線３０に接続する子機側音声回路１１の出力信号が負荷回路１４側に吸収されてしまい、その結果、出力信号を室内親機２０に伝送することができないことになる。
【００１９】
子機側制御通信回路１２は、子機側出力抵抗１２Ａと、この子機側出力抵抗１２Ａと接続し、室内親機２０への制御内容をＡＭ変調して室内親機２０側にＡＭ信号を出力する子機側ＡＭ送信回路１２Ｂと、通信線３０及び親機側出力抵抗１２Ｂ間の接続をＯＮ／ＯＦＦする子機側スイッチ回路１２Ｃと、室内親機２０からのＡＭ信号をＡＭ復調して室内親機２０からの制御内容を受信する子機側ＡＭ受信回路１２Ｄと、この子機側ＡＭ受信回路１２Ｄに接続する子機側受信インピーダンス１２Ｅとを有している。
【００２０】
また、子機側スイッチ回路１２Ｃは、子機側ＡＭ送信回路１２Ｂから室内親機２０に対してＡＭ信号を出力する場合、通信線３０及び子機側出力抵抗１２Ａ間の接続をＯＮし、ＡＭ信号の出力レベルが所定レベル以上に保つようにするために、子機側ＡＭ送信回路１２Ｂの送信インピーダンスを低くして出力レベルを上げるようにしている。
【００２１】
また、子機側スイッチ回路１２Ｃは、子機側ＡＭ送信回路１２Ｂから室内親機２０に対してＡＭ信号を出力しない場合、通信線３０及び子機側出力抵抗１２Ａ間の接続をＯＦＦし、子機側ＡＭ送信回路１２Ｂ側の送信インピーダンスが通信線３０上の子機側音声回路１１の出力信号を吸収しないようにするものである。
【００２２】
従って、このような従来のインターホン装置１００によれば、例えば親機側ＡＭ送信回路２２Ｂ（子機側ＡＭ送信回路１２Ｂ）から玄関子機１０（室内親機２０）にＡＭ信号を出力する場合、親機側ＡＭ送信回路２２Ｂ（子機側ＡＭ送信回路１２Ｂ）の送信インピーダンスを低くしてＡＭ信号の出力レベルを上げた状態で、親機側スイッチ回路２２Ｃ（子機側スイッチ回路１２Ｃ）を通じて通信線３０及び親機側出力抵抗２２Ａ（子機側出力抵抗１２Ａ）間を接続することで親機側ＡＭ送信回路２２Ｂ（子機側ＡＭ送信回路１２Ｂ）から玄関子機１０（室内親機２０）にＡＭ信号を出力するようにしたので、信頼性の高い制御通信を実現することができる。
【００２３】
さらに従来のインターホン装置１００によれば、親機側ＡＭ送信回路２２Ｂ（子機側ＡＭ送信回路１２Ｂ）から玄関子機１０（室内親機２０）にＡＭ信号を出力しない場合、親機側スイッチ回路２２Ｃ（子機側スイッチ回路１２Ｃ）を通じて通信線３０及び親機側出力抵抗２２Ａ（子機側出力抵抗１２Ａ）間の接続を切断（ＯＦＦ）するようにしたので、親機側ＡＭ送信回路２２Ｂ（子機側ＡＭ送信回路１２Ｂ）の送信インピーダンスの影響を無くし、親機側音声回路２１（子機側音声回路１１）の出力信号が親機側ＡＭ送信回路２２Ｂ（子機側ＡＭ送信回路１２Ｂ）の送信インピーダンスに吸収されてしまうような事態を防止することができる。
【００２４】
尚、出願人は図６に示す従来のインターホン装置の先行文献を発見するには至らなかったが、例えばデータ送信時はバスラインと送信回路とを接続し、データ受信時はバスラインと送信回路との接続を切断するスイッチング機能を備え、バスライン側から見たインピーダンスの低下を防止することで良好な信号伝送を実現する技術内容については広く知られている（例えば特許文献１参照）。
【特許文献１】特開平７−２３１３２４号公報（要約書及び図１参照）
【発明の開示】
【発明が解決しようとする課題】
【００２５】
しかしながら、上記従来のインターホン装置１００によれば、親機側ＡＭ送信回路２２Ｂ（子機側ＡＭ送信回路１２Ｂ）から玄関子機１０（室内親機２０）に対してＡＭ信号を出力しない場合、親機側スイッチ回路２２Ｃ（子機側スイッチ回路１２Ｃ）を通じて親機側出力抵抗２２Ａ（子機側出力抵抗１２Ａ）及び通信線３０間の接続を切断することで親機側音声回路２１（子機側音声回路１１）からの出力信号を親機側ＡＭ送信回路２２Ｂ（子機側ＡＭ送信回路１２Ｂ）の送信インピーダンスに吸収されないようにしたが、通信線３０及び親機側出力抵抗２２Ａ（子機側出力抵抗１２Ａ）間に親機側スイッチ回路２２Ｃ（子機側スイッチ回路１２Ｃ）を配置する必要がある。
【００２６】
本発明は上記点に鑑みてなされたものであり、その目的とするところは、スイッチ回路を設けずに、通信線の音声インピーダンスを低下させることなく、最適な制御通信を実現することができるインターホン装置を提供することにある。
【課題を解決するための手段】
【００２７】
上記目的を達成するために本発明のインターホン装置は、玄関子機及び室内親機間の通話音声を伝送する通信線に、電源回路からの電源を重畳出力するインターホン装置であって、前記通信線にコレクタを接続し、エミッタ抵抗を介してエミッタを前記電源回路に接続するＰＮＰトランジスタと、このＰＮＰトランジスタの前記コレクタ及びベース間に接続する第１抵抗と、前記ＰＮＰトランジスタの前記ベース及び前記電源回路間に接続する第２抵抗と、この第２抵抗に並列接続する第１コンデンサとを有する第１音声インピーダンスアップ回路を備え、前記ＰＮＰトランジスタのエミッタに、前記通信線を通じて制御信号を重畳出力する制御通信回路の出力を接続するようにした。
【００２８】
また、上記目的を達成するために本発明のインターホン装置は、玄関子機及び室内親機間の通話音声を伝送する通信線に、電源回路からの電源を重畳出力するインターホン装置であって、前記通信線にコレクタを接続し、エミッタ抵抗を介してエミッタを負荷回路に接続するＮＰＮトランジスタと、このＮＰＮトランジスタの前記コレクタ及びベース間に接続する第３抵抗と、前記ＮＰＮトランジスタの前記ベース及び前記負荷回路間に接続する第４抵抗と、この第４抵抗に並列接続する第２コンデンサとを有する第２音声インピーダンスアップ回路を備え、前記ＮＰＮトランジスタのエミッタに、前記通信線を通じて制御信号を重畳出力する制御通信回路の出力を接続するようにした。
【発明の効果】
【００２９】
上記のように構成された本発明のインターホン装置によれば、第１インピーダンスアップ回路のＰＮＰトランジスタのエミッタに、前記通信線を通じて制御信号を重畳出力する制御通信回路の出力を接続するようにしたので、制御通信回路のインピーダンスを下げて制御信号の出力レベルを上げたとしても、玄関子機及び室内親機間の通信線間に制御通信回路のインピーダンスが接続されていないため、従来技術のようなスイッチ回路を設ける必要もなく、通信線上の音声インピーダンスの低下を確実に防止することで、その結果、通信線上の音声信号の損失を確実に防止することができ、さらには信頼性の高い制御通信を実現することができる。
【００３０】
また、本発明のインターホン装置によれば、第２インピーダンスアップ回路のＮＰＮトランジスタのエミッタに、前記通信線を通じて制御信号を重畳出力する制御通信回路の出力を接続するようにしたので、制御通信回路のインピーダンスを下げて制御信号の出力レベルを上げたとしても、玄関子機及び室内親機間の通信線間に制御通信回路のインピーダンスが接続されていないため、従来技術のようなスイッチ回路を設ける必要もなく、通信線上の音声インピーダンスの低下を確実に防止することで、その結果、通信線上の音声信号の損失を確実に防止することができ、さらには信頼性の高い制御通信を実現することができる。
【発明を実施するための最良の形態】
【００３１】
本願請求項１記載のインターホン装置は、玄関子機及び室内親機間の通話音声を伝送する通信線に、電源回路からの電源を重畳出力するインターホン装置であって、前記通信線にコレクタを接続し、エミッタ抵抗を介してエミッタを前記電源回路に接続するＰＮＰトランジスタと、このＰＮＰトランジスタの前記コレクタ及びベース間に接続する第１抵抗と、前記ＰＮＰトランジスタの前記ベース及び前記電源回路間に接続する第２抵抗と、この第２抵抗に並列接続する第１コンデンサとを有する第１音声インピーダンスアップ回路を備え、前記ＰＮＰトランジスタのエミッタに、前記通信線を通じて制御信号を重畳出力する制御通信回路の出力を接続するようにした。
【００３２】
従って、本願請求項１記載のインターホン装置によれば、第１インピーダンスアップ回路のＰＮＰトランジスタのエミッタに、前記通信線を通じて制御信号を重畳出力する制御通信回路の出力を接続するようにしたので、前記制御通信回路のインピーダンスを下げて制御信号の出力レベルを上げたとしても、従来技術のようなスイッチ回路を設けることなく、通信線上の音声インピーダンスの低下を確実に防止することで、その結果、通信線上の音声信号の損失を確実に防止することができる。
【００３３】
さらに、本願請求項１記載のインターホン装置によれば、第１インピーダンスアップ回路のＰＮＰトランジスタのエミッタに、前記通信線を通じて制御信号を重畳出力する制御通信回路の出力を接続するようにしたので、ＰＮＰトランジスタのベース接地アンプ特性を利用して制御通信回路からの制御信号の出力レベルを増幅することで、制御通信の信頼性の大幅向上を図ることができる。
【００３４】
また、本願請求項２記載のインターホン装置は、本願請求項１記載の構成に加えて、前記第１コンデンサ及び前記第２抵抗に代えて、定電圧回路を接続するようにした。
【００３５】
従って、本願請求項２記載のインターホン装置によれば、本願請求項１記載の効果に加えて、前記第１コンデンサ及び前記第２抵抗に代えて、例えばツェナーダイオード等の定電圧回路で構成するようにしたので、ベース電圧が直流的にも一定となり、より低い周波数における通信線のインピーダンスを上げることが可能となり、低域周波数の信号伝送を可能とすることができる。
【００３６】
また、本願請求項３記載のインターホン装置は、本願請求項１又は２記載の構成に加えて、前記ＰＮＰトランジスタをダーリントン接続で構成するようにした。
【００３７】
従って、本願請求項３記載のインターホン装置によれば、本願請求項１又は２記載の効果に加えて、前記ＰＮＰトランジスタをダーリントン接続で構成するようにしたので、通信線のインピーダンスアップ性能を向上することができ、安定した信号伝送が可能となる。
【００３８】
また、本願請求項４記載のインターホン装置は、玄関子機及び室内親機間の通話音声を伝送する通信線に、電源回路からの電源を重畳出力するインターホン装置であって、前記通信線にコレクタを接続し、エミッタ抵抗を介してエミッタを負荷回路に接続するＮＰＮトランジスタと、このＮＰＮトランジスタの前記コレクタ及びベース間に接続する第３抵抗と、前記ＮＰＮトランジスタの前記ベース及び前記負荷回路間に接続する第４抵抗と、この第４抵抗に並列接続する第２コンデンサとを有する第２音声インピーダンスアップ回路を備え、前記ＮＰＮトランジスタのエミッタに、前記通信線を通じて制御信号を重畳出力する制御通信回路の出力を接続するようにした。
【００３９】
従って、本願請求項４記載のインターホン装置によれば、第２インピーダンスアップ回路のＮＰＮトランジスタのエミッタに、前記通信線を通じて制御信号を重畳出力する制御通信回路の出力を接続するようにしたので、前記制御通信回路のインピーダンスを下げて制御信号の出力レベルを上げたとしても、従来技術のようなスイッチ回路を設けることなく、通信線上の音声インピーダンスの低下を確実に防止することができ、その結果、通信線上の音声信号の損失を確実に防止することができる。
【００４０】
さらに、本願請求項４記載のインターホン装置によれば、第２インピーダンスアップ回路のＮＰＮトランジスタのエミッタに、前記通信線を通じて制御信号を重畳出力する制御通信回路の出力を接続するようにしたので、ＮＰＮトランジスタのベース接地アンプ特性を利用して制御通信回路からの制御信号の出力レベルを増幅することで、制御通信の信頼性の大幅向上を図ることができる。
【００４１】
また、本願請求項５記載のインターホン装置は、本願請求項４記載の構成に加えて、前記第２コンデンサ及び前記第４抵抗に代えて、定電圧回路を接続するようにした。
【００４２】
従って、本願請求項５記載のインターホン装置によれば、本願請求項４記載の効果に加えて、前記第２コンデンサ及び前記第４抵抗に代えて、例えばツェナーダイオード等の定電圧回路で構成するようにしたので、ベース電圧が直流的にも一定となり、より低い周波数における通信線のインピーダンスを上げることが可能となり、低域周波数の信号伝送を可能とすることができる。
【００４３】
また、本願請求項６記載のインターホン装置は、本願請求項４又は５記載の構成に加えて、前記ＮＰＮトランジスタをダーリントン接続で構成するようにした。
【００４４】
従って、本願請求項６記載のインターホン装置によれば、本願請求項４又は５記載の効果に加えて、前記ＮＰＮトランジスタをダーリントン接続で構成するようにしたので、通信線のインピーダンスアップ性能を向上することができ、安定した信号伝送が可能となる。
【００４５】
以下、図面に基づき本発明の実施の形態を示すインターホン装置について説明する。
【００４６】
（実施の形態１）
図１は本発明の第１の実施の形態を示すインターホン装置内部の概略構成を示すブロック図である。尚、図６に示すインターホン装置と同一の構成については同一符号を付すことで、その重複する構成及び動作の説明については省略する。
【００４７】
図１に示すインターホン装置１と図６に示すインターホン装置１００とが異なるところは、通信線３０及び親機側出力抵抗２２Ａ間の親機側スイッチ回路２２Ｃを設けることなく、親機側ＡＭ送信回路２２Ｂの親機側出力抵抗２２Ａを親機側音声インピーダンスアップ回路２４内部のＰＮＰトランジスタ３１のエミッタ３１Ｂに接続構成する親機側制御通信回路５０を備えた室内親機２０Ａにある。
【００４８】
ＰＮＰトランジスタ３１は、親機側出力抵抗２２Ａを通じて親機側ＡＭ送信回路２２ＢからのＡＭ信号をエミッタ３１Ｂ側に入力すると、ベース接地アンプ特性を使用してＡＭ信号を増幅出力するものである。
【００４９】
尚、本願請求項１記載のインターホン装置はインターホン装置１、ＰＮＰトランジスタはＰＮＰトランジスタ３１、エミッタ抵抗はエミッタ抵抗３２、第１抵抗は第１バイアス抵抗３３、第２抵抗は第２バイアス抵抗３４、第１コンデンサは第１コンデンサ３５、第１音声インピーダンスアップ回路は親機側音声インピーダンスアップ回路２４、制御通信回路は親機側ＡＭ送信回路２２Ｂ及び親機側出力抵抗２２Ａに相当するものである。
【００５０】
次に第１の実施の形態を示すインターホン装置１の動作について説明する。
【００５１】
親機側制御通信回路５０の親機側ＡＭ送信回路２２Ｂは、玄関子機１０に対してＡＭ信号を出力する場合、親機側出力抵抗２２Ａを通じて親機側音声インピーダンスアップ回路２４内部のＰＮＰトランジスタ３１のエミッタ３１Ｂ側にＡＭ信号を入力する。
【００５２】
ＰＮＰトランジスタ３１は、そのベース接地アンプ特性に基づきＡＭ信号を増幅し、この増幅したＡＭ信号を、通信線３０を通じて玄関子機１０側の子機側ＡＭ受信回路１２Ｄに供給することになる。
【００５３】
図２は第１の実施の形態を示すインターホン装置１の要部である親機側音声インピーダンスアップ回路２４のベース接地アンプ特性の働きを端的に示す動作説明図である。
【００５４】
図２に示す親機側ＡＭ送信回路２２Ｂの出力電圧ＶＯは、親機側出力抵抗ＲＯを介してＰＮＰトランジスタ３１のエミッタ３１Ｂ側に入力される。この際、エミッタ電圧ＶＥは、ベース電圧ＶＢとベース・エミッタ間電圧ＶＢＥとの差であるため、ＶＥ＝ＶＢ−ＶＢＥで表すことができる。尚、ベース・エミッタ間電圧ＶＢＥは、シリコントランジスタの場合、通常０．６〜０．７Ｖの固定値である。
【００５５】
また、ベース電圧ＶＢは、第１コンデンサ３５の動作に応じて、親機側ＡＭ送信回路２２Ｂから出力抵抗ＲＯを通じてエミッタ３１Ｂに入力される電流値ＩＯは、ＩＯ＝（ＶＯ−ＶＥ）／ＲＯで表すことができる。
【００５６】
また、電流値ＩＯの変動に応じてエミッタ抵抗３２に流れる電流値ＩＥは変動するため、電流ＩＯの変化量ΔＩＯと電流値ＩＥの変化量ΔＩＥはΔＩＯ＝ΔＩＥとなる。
【００５７】
ＰＮＰトランジスタ３１のベース電流は、コレクタ電流及びエミッタ電流に比較して十分小さい値であるため、コレクタ電流、すなわち負荷電流ＩＺの変化量ΔＩＺは、ΔＩＺ≒ΔＩＥ＝ΔＩＯとなる。このとき通信線３０の信号電圧であるコレクタ電圧ＶＳＩＧの変化量ΔＶＳＩＧは、ΔＶＳＩＧ＝ΔＩＺ＊ＲＺ＝Δ（ＶＯ−ＶＥ）＊ＲＺ／ＲＯとなるため、その増幅率はＲＺ／ＲＯのアンプとなる。
【００５８】
つまり、親機側音声インピーダンスアップ回路２４のＰＮＰトランジスタ３１では、親機側ＡＭ送信回路２２ＢからのＡＭ信号を、このベース接地アンプ特性を利用して増幅して通信線３０を通じて玄関子機１０に出力するものである。
【００５９】
また、室内親機２０Ａは玄関子機１０からＡＭ信号を受信した場合、ＰＮＰトランジスタ３１のコレクタ電圧が変動するが、コレクタ電圧が変動したとしても、第１コンデンサ３５の働きでベース電圧ＶＢＥが変動しないことになるため、電源回路２３から流入する電流に変動が生じることはなく、通信線３０のインピーダンスＺの値は、Ｚ＝Ｖ／Ｉで表される式の分母電流Ｉが小さくなることで、その結果、インピーダンスＺが高い状態を保つことができる。
【００６０】
従って、第１の実施の形態によれば、親機側音声インピーダンスアップ回路２４内部のＰＮＰトランジスタ３１のエミッタ３１Ｂ側に親機側ＡＭ送信回路２２Ｂの親機側出力抵抗２２Ａを接続するようにしたので、親機側ＡＭ送信回路２２Ｂのインピーダンスを下げてＡＭ信号の出力レベルを上げたとしても、従来技術のようなスイッチ回路（親機側スイッチ回路２２Ｃ）を設けることなく、通信線３０上の音声インピーダンスの低下を確実に防止することで、その結果、通信線３０上の音声信号の損失を確実に防止することができる。
【００６１】
また、第１の実施の形態によれば、親機側音声インピーダンスアップ回路２４内部のＰＮＰトランジスタ３１のエミッタ３１Ｂ側に、親機側ＡＭ送信回路２２Ｂの親機側出力抵抗２２Ａを接続するようにしたので、ＰＮＰトランジスタ３１のベース接地アンプ特性を利用して親機側ＡＭ送信回路２２ＢからのＡＭ信号の出力レベルを増幅することで、制御通信の信頼性の大幅向上を図ることができる。
【００６２】
（実施の形態２）
図３は第２の実施の形態を示すインターホン装置内部の概略構成を示すブロック図である。尚、図６に示すインターホン装置と同一の構成については同一符号を付すことで、その重複する構成及び動作の説明については省略する。
【００６３】
図３に示すインターホン装置１Ａと図６に示すインターホン装置１００とが異なるところは、通信線３０及び子機側出力抵抗１２Ａ間の子機側スイッチ回路１２Ｃを設けることなく、子機側ＡＭ送信回路１２Ｂの子機側出力抵抗１２Ａを子機側音声インピーダンスアップ回路１３内部のＮＰＮトランジスタ４１のエミッタ４１Ｂに接続構成する子機側制御通信回路６０を備えた玄関子機１０Ａにある。
【００６４】
ＮＰＮトランジスタ４１は、子機側出力抵抗１２Ａを通じて子機側ＡＭ送信回路１２ＢからのＡＭ信号をエミッタ４１Ａ側に入力すると、ベース接地アンプ特性を使用してＡＭ信号を増幅出力するものである。
【００６５】
尚、本願請求項４記載のインターホン装置はインターホン装置１Ａ、ＰＮＰトランジスタはＰＮＰトランジスタ４１、エミッタ抵抗はエミッタ抵抗４２、第３抵抗は第３バイアス抵抗４３、第４抵抗は第４バイアス抵抗４４、第２コンデンサは第２コンデンサ４５、第２音声インピーダンスアップ回路は子機側音声インピーダンスアップ回路１３、制御通信回路は子機側ＡＭ送信回路１２Ｂ及び子機側出力抵抗１２Ａに相当するものである。
【００６６】
次に第２の実施の形態を示すインターホン装置１Ａの動作について説明する。
【００６７】
子機側制御通信回路６０の子機側ＡＭ送信回路１２Ｂは、室内親機２０に対してＡＭ信号を出力する場合、子機側出力抵抗１２Ａを通じて子機側音声インピーダンスアップ回路１３内部のＮＰＮトランジスタ４１のエミッタ４１Ａ側にＡＭ信号を入力する。
【００６８】
ＮＰＮトランジスタ４１は、そのベース接地アンプ特性に基づきＡＭ信号を増幅し、この増幅したＡＭ信号を、通信線３０を通じて室内親機２０側の親機側ＡＭ受信回路２２Ｄに供給することになる。
【００６９】
従って、第２の実施の形態によれば、子機側音声インピーダンスアップ回路１３内部のＮＰＮトランジスタ４１のエミッタ４１Ｂ側に子機側ＡＭ送信回路１２Ｂの子機側出力抵抗１２Ａを接続するようにしたので、子機側ＡＭ送信回路１２Ｂのインピーダンスを下げてＡＭ信号の出力レベルを上げたとしても、従来技術のようなスイッチ回路（子機側スイッチ回路１２Ｃ）を設けることなく、通信線３０上の音声インピーダンスの低下を確実に防止することで、その結果、通信線３０上の音声信号の損失を確実に防止することができる。
【００７０】
また、第２の実施の形態によれば、子機側音声インピーダンスアップ回路１３内部のＮＰＮトランジスタ４１のエミッタ４１Ｂ側に、子機側ＡＭ送信回路１２Ｂの子機側出力抵抗１２Ａを接続するようにしたので、ＮＰＮトランジスタ４１のベース接地アンプ特性を利用して親機側ＡＭ送信回路１２ＢからのＡＭ信号の出力レベルを増幅することで、制御通信の信頼性の大幅向上を図ることができる。
【００７１】
（実施の形態３）
図４は第３の実施の形態を示すインターホン装置１の要部である音声インピーダンスアップ回路２４（１３）内部の概略構成を示すブロック図である。
【００７２】
図４（ａ）に示す親機側音声インピーダンスアップ回路２４は、図１（図３）に示す親機側音声インピーダンスアップ回路２４内部の第２バイアス抵抗３４及び第１コンデンサ３５の代わりに、通電電流によらず、両端電圧が固定となる定電圧素子としての第１ツェナーダイオード７１を配置し、この第１ツェナーダイオード７１の動作に応じて、ＰＮＰトランジスタ３１のベース電圧を固定して通信線３０から見た音声インピーダンスをアップさせることで、通信線３０に接続する親機側音声回路１１の出力信号が電源回路２３側に吸収されず、親機側音声回路２１の出力信号が通信線３０を通じて玄関子機１０（１０Ａ）に伝送することができるものである。
【００７３】
また、図４（ｂ）に示す子機側音声インピーダンスアップ回路１３は、図１（図３）に示す子機側音声インピーダンスアップ回路１３内部の第４バイアス抵抗４４及び第２コンデンサ４５の代わりに、定電圧素子としての第２ツェナーダイオード７２を配置し、この第２ツェナーダイオード７１の動作に応じて、ＮＰＮトランジスタ６１のベース電圧を固定して通信線３０から見た音声インピーダンスをアップさせることで、通信線３０に接続する子機側音声回路２１の出力信号が通信線３０を通じて室内親機２０Ａ（２０）に伝送することができるものである。
【００７４】
尚、本願請求項２記載の定電圧回路は第１ツェナーダイオード７１、本願請求項５記載の定電圧回路は第２ツェナーダイオード７２に相当するものである。
【００７５】
従って、第３の実施の形態によれば、図４（ａ）に示すように、第１コンデンサ３５及び第２バイアス抵抗３４に代えて、第１ツェナーダイオード７１で構成するようにしたので、ベース電圧が直流的にも一定となり、より低い周波数における通信線のインピーダンスを上げることが可能となり、低域周波数の信号伝送を可能とすることができる。
【００７６】
また、第３の実施の形態によれば、図４（ｂ）に示すように、第２コンデンサ４５及び第４バイアス抵抗４４に代えて、第２ツェナーダイオード７２で構成するようにしたので、ベース電圧が直流的にも一定となり、より低い周波数における通信線のインピーダンスを上げることが可能となり、低域周波数の信号伝送を可能とすることができる。
【００７７】
（実施の形態４）
図５は第４の実施の形態を示すインターホン装置内部の音声インピーダンスアップ回路２４（１３）内部の概略構成を示すブロック図である。
【００７８】
図５（ａ）に示す親機側音声インピーダンスアップ回路２４は、図１（図３）に示す親機側音声インピーダンスアップ回路２４内部のＰＮＰトランジスタ３１の代わりにダーリントン回路７３を配置するようにしたものである。
【００７９】
また、同様に図５（ｂ）に示す子機側音声インピーダンスアップ回路１３は、図１（図３）に示す子機側音声インピーダンスアップ回路１３内部のＮＰＮトランジスタ４１の代わりにダーリントン回路７４を配置するようにしたものである。
【００８０】
尚、本願請求項３記載のＰＮＰトランジスタはダーリントン回路７３、本願請求項６記載のＮＰＮトランジスタはダーリントン回路７４に相当するものである。
【００８１】
従って、第４の実施の形態によれば、図５（ａ）に示すように親機側音声インピーダンスアップ回路２４内部のＰＮＰトランジスタ３１の代わりにダーリントン回路７３を配置するようにしたので、通信線のインピーダンスアップ性能を向上することができ、安定した信号伝送が可能となる。
【００８２】
また、第４の実施の形態によれば、図５（ｂ）に示すように子機側音声インピーダンスアップ回路１３内部のＮＰＮトランジスタ４１の代わりにダーリントン回路７４を配置するようにしたので、通信線のインピーダンスアップ性能を向上することができ、安定した信号伝送が可能となる。
【産業上の利用可能性】
【００８３】
上記のように構成された本発明のインターホン装置によれば、第1インピーダンスアップ回路のＰＮＰトランジスタのエミッタに、通信線を通じて制御信号を出力する制御通信回路の出力を接続するようにしたので、前記制御通信回路のインピーダンスを下げて制御信号の出力レベルを上げたとしても、従来技術のようなスイッチ回路を設けることなく、通信線上の音声インピーダンスの低下を確実に防止することで、その結果、通信線上の音声信号の損失を確実に防止することができるため、例えば宅内のインターホン装置に有用である。
【図面の簡単な説明】
【００８４】
【図１】本発明の第１の実施の形態を示すインターホン装置内部の概略構成を示すブロック図
【図２】第１の実施の形態に関わる親機側音声インピーダンスアップ回路のベース接地アンプ特性の働きを端的に示す動作説明図
【図３】本発明の第２の実施の形態を示すインターホン装置内部の概略構成を示すブロック図
【図４】本発明の第３の実施の形態を示すインターホン装置内部の音声インピーダンスアップ回路内部の概略構成を示すブロック図  （ａ）親機側音声インピーダンスアップ回路  （ｂ）子機側音声インピーダンスアップ回路
【図５】本発明の第４の実施の形態を示すインターホン装置内部の音声インピーダンスアップ回路内部の概略構成を示すブロック図  （ａ）親機側音声インピーダンスアップ回路  （ｂ）子機側音声インピーダンスアップ回路
【図６】従来技術のインターホン装置内部の概略構成を示すブロック図
【符号の説明】
【００８５】
１  インターホン装置
１Ａ  インターホン装置
１０  玄関子機
１０Ａ  玄関子機
１３  子機側音声インピーダンスアップ回路（第２音声インピーダンスアップ回路）
１４  負荷回路
２０  室内親機
２０Ａ  室内親機
２３  電源回路
２４  親機側音声インピーダンスアップ回路（第１音声インピーダンスアップ回路）
３０  通信線
３１  ＰＮＰトランジスタ
３２  エミッタ抵抗
３３  第１バイアス抵抗（第１抵抗）
３４  第２バイアス抵抗（第２抵抗）
３５  第１コンデンサ
４１  ＮＰＮトランジスタ
４２  エミッタ抵抗
４３  第３バイアス抵抗（第３抵抗）
４４  第４バイアス抵抗（第４抵抗）
４５  第２コンデンサ
７１  第１ツェナーダイオード（定電圧回路）
７２  第２ツェナーダイオード（定電圧回路）
７３  ダーリントン回路
７４  ダーリントン回路
【図１】
2008028866.tif 000003
【図２】
2008028866.tif 000004
【図３】
2008028866.tif 000005
【図４】
2008028866.tif 000006
【図５】
2008028866.tif 000007
【図６】
2008028866.tif 000008